(57)【要約】【課題】寝返り等で着用者の体勢が繰り返し変化した際に吸収体の意図しない変形を抑制し、漏れの発生及び装着感の悪化を抑制できる吸収性物品を提供する。【解決手段】吸収性物品は、股下域と後側域に配置される吸収コア３１と、ヒップフラップ４と、を有する。吸収コアは、後側域において吸収コアの幅方向中央に位置する第２低目付部４２と、第２低目付部よりも幅方向外側に位置する高目付部４５と、を有する。吸収性物品１は、低目付部と高目付部を覆う表面シート１１と、ヒップフラップに配置されるフラップシート１５と、を有する。表面シートの外側縁１１ＯＥは、フラップシートの内側縁１５ＩＥよりも幅方向内側に位置する。【選択図】図１
2017086382.tif 000002
【特許請求の範囲】
【請求項１】
互いに直交する前後方向及び幅方向と、
着用者の股下に配置される股下域と、
前記股下域の後側に位置する後側域と、
前記股下域と前記後側域に配置される吸収コアと、
前記後側域において、前記股下域の前記吸収コアの外側縁よりも幅方向の外側に延びるヒップフラップと、を有する吸収性物品であって、
前記吸収コアは、前記後側域において前記吸収コアの幅方向中央に位置する低目付部と、前記低目付部よりも幅方向外側に位置し、前記低目付部よりも目付が高い高目付部と、を有し、
前記低目付部と前記高目付部を覆う表面シートと、
前記ヒップフラップに配置されるフラップシートと、を有し、
前記表面シートの外側縁は、前記フラップシートの内側縁よりも幅方向内側に位置する、吸収性物品。
【請求項２】
前記フラップシートの非肌対向面側に位置する非肌面シートと、
前記非肌面シートに設けられ、前記吸収性物品を下着に止めるための粘着剤を有する粘着部と、を有し、
前記粘着部は、前記ヒップフラップにおいて、前記表面シートの外側縁と前記フラップシートの内側縁との間の領域に配置されていない、請求項１に記載の吸収性物品。
【請求項３】
前記粘着部は、前記フラップシートに重なる領域に配置される、請求項２に記載の吸収性物品。
【請求項４】
前記低目付部は、前記前後方向に沿って延びており、
前記粘着部は、前記低目付部に重なる領域に配置されていない、請求項２又は請求項３に記載の吸収性物品。
【請求項５】
前記低目付部は、前記前後方向に沿って延びており、
前記低目付部は、前記吸収性物品の厚み方向に前記吸収コアを貫通したスリットである、請求項１から請求項４のいずれかに記載の吸収性物品。
【請求項６】
前記フラップシートの外側縁は、前記ヒップフラップの外側縁に位置する、請求項１から請求項５のいずれかに記載の吸収性物品。
【請求項７】
前記低目付部は、前記前後方向に沿って延びており、
前記低目付部よりも幅方向外側には、前記吸収性物品が厚み方向に曲がることができるように構成された曲部が配置され、
前記曲部は、前記幅方向に沿って延びる、請求項１から請求項６のいずれかに記載の吸収性物品。
【請求項８】
前記表面シートの外側縁と前記フラップシートの内側縁との間の領域の厚みは、前記表面シートの外側縁よりも幅方向内側の領域の厚みよりも薄く、かつ前記フラップシートの内側縁よりも幅方向外側の領域の厚みよりも薄い、請求項１から請求項７のいずれかに記載の吸収性物品。
【請求項９】
前記低目付部は、前記前後方向に沿って延びており、
前記低目付部は、前記ヒップフラップの最大幅の位置から前記幅方向に延びる仮想線上を跨がって配置される、請求項１から請求項８のいずれかに記載の吸収性物品。
【請求項１０】
前記後側域には、前記幅方向に延び、周囲の吸収コアよりも目付が低い幅低目付部が設けられており、
前記幅低目付部は、前記ヒップフラップの最大幅の位置から前記幅方向に延びる仮想線上を跨がって配置される、請求項１から請求項９のいずれかに記載の吸収性物品。
【請求項１１】
前記表面シートの曲げ剛性は、前記フラップシートの曲げ剛性よりも低い、請求項１から請求項１０のいずれかに記載の吸収性物品。
【請求項１２】
前記ヒップフラップの外縁は、多数の凸部を有する波形形状に形成されている、請求項１から請求項１１のいずれかに記載の吸収性物品。  
【発明の詳細な説明】
【技術分野】
【０００１】
本発明は、生理用ナプキン等の吸収性物品に関する。
【背景技術】
【０００２】
ナプキン等の吸収性物品は、着用者が寝た状態で使用されることがある。吸収性物品を寝た状態で使用する際は、後漏れが発生しやすい。そのため、ナプキン等の吸収性物品として、後漏れを防止するヒップフラップを有する吸収性物品が開示されている（例えば、特許文献１参照）。
【０００３】
特許文献１の吸収性物品は、股下域と、股下域の後側に位置する後側域と、股下域と後側域に配置される吸収コアと、後側域において、股下域の吸収コアの外側縁よりも幅方向外側に延びるヒップフラップと、を有する。ヒップフラップには、支持層が配置されている。支持層は、吸収コアが配置されている領域と、ヒップフラップの一部の領域と、に跨って配置されている。
【先行技術文献】
【特許文献】
【０００４】
【特許文献１】特表２００８−５２０４０１号公報
【発明の概要】
【発明が解決しようとする課題】
【０００５】
特許文献１の吸収性物品のヒップフラップは、着用者が寝た状態で着用者の臀部の側部を覆うように配置される。このように吸収性物品が装着された状態で、寝返り等で左右のどちらかの臀部側からの体圧が偏ることがある。たとえば、着用者が寝返りをして右側の臀部側からの体圧が大きくなると、右側の臀部によって右側の吸収コアが押圧され、右側に移動する。特許文献１の吸収性物品は、吸収コアの移動に伴って吸収コアと重なる支持層が右側に移動する方向に力がかかる。しかし、吸収性物品の支持層の外側縁が臀部に押圧されて右側に移動できず、吸収コアが移動できずに圧縮されることがある。吸収コアが繰り返し圧縮されると、吸収コアの一部が硬くなったり、吸収コアの一部がよれてしまったりすることがある。その結果、吸収体が意図しない態様で変形し、漏れが発生することがある。また、吸収コアの一部が硬くなることによって吸収性物品の表面が硬くなり、装着感が悪化することがある。
【０００６】
本開示は、上述の課題に鑑みてなされたものであり、寝返り等で着用者の体勢が繰り返し変化した際に吸収体の意図しない変形を抑制し、漏れの発生及び装着感の悪化を抑制できる吸収性物品を提供することを目的とする。
【０００７】
本開示に係る吸収性物品は、互いに直交する前後方向（前後方向Ｌ）及び幅方向（幅方向Ｗ）と、着用者の股下に配置される股下域（股下域Ｓ１）と、前記股下域の後側に位置する後側域（後側域Ｓ３）と、前記股下域と前記後側域に配置される吸収コア（吸収コア３１）と、前記後側域において、前記股下域の前記吸収コアの外側縁よりも幅方向の外側に延びるヒップフラップ（ヒップフラップ４）と、を有する吸収性物品（吸収性物品１）であって、記吸収コアは、前記後側域において前記吸収コアの幅方向中央に位置する低目付部（第２低目付部４２）と、前記低目付部よりも幅方向外側に位置し、前記低目付部よりも目付が高い高目付部（高目付部４５）と、を有し、前記低目付部と前記高目付部を覆う表面シート（表面シート１１）と、前記ヒップフラップに配置されるフラップシート（フラップシート１５）と、を有し、前記表面シートの外側縁（外側縁１１ＯＥ）は、前記フラップシートの内側縁（内側縁１５ＩＥ）よりも幅方向内側に位置する。
【発明の効果】
【０００８】
本開示によれば、寝返り等で着用者の体勢が繰り返し変化した際に吸収体の意図しない変形を抑制し、漏れの発生及び装着感の悪化を抑制できる吸収性物品を提供することができる。
【図面の簡単な説明】
【０００９】
【図１】一実施形態における吸収性物品の平面図である。
【図２】図１とは反対側から見た吸収性物品の平面図である。
【図３】図１のＡ−Ａ線に沿った吸収性物品の断面図である。
【図４】使用中の吸収性物品の、図１のＡ−Ａ線に沿った模式的断面図である。
【発明を実施するための形態】
【００１０】
以下、図面を参照して、実施形態に係る吸収性物品ついて説明する。吸収性物品は、パンティーライナー（おりものシート）や生理用ナプキンや失禁パッド等の任意の吸収性物品であってよい。以下の実施形態では、吸収性物品の一例として使い捨ての生理用ナプキンについて説明する。
【００１１】
なお、以下の図面の記載において、同一又は類似の部分には、同一又は類似の符号を付している。ただし、図面は模式的なものであり、各寸法の比率等は現実のものとは異なる場合があることに留意すべきである。したがって、具体的な寸法等は、以下の説明を参酌して判断すべきである。また、図面相互間においても互いの寸法の関係や比率が異なる部分が含まれ得る。
【００１２】
（１）吸収性物品の全体的構成
図１は、一実施形態における吸収性物品の平面図である。図２は、図１とは反対側から見た吸収性物品の平面図である。図３は、図１のＡ−Ａ線に沿った吸収性物品の断面図である。
【００１３】
吸収性物品１は、前後方向Ｌと幅方向Ｗと厚み方向Ｔとを有する。前後方向Ｌは、着用者の前側（腹側）から後側（背側）に延びる方向、又は着用者の後側から前側に延びる方向である。幅方向Ｗは、前後方向Ｌと直交する方向である。厚み方向Ｔは、着用者の肌対向面側Ｔ１から非肌対向面側Ｔ２へ延びる方向であり、前後方向Ｌ及び幅方向Ｗに直交する方向である。肌対向面側Ｔ１は、使用時に、着用者の肌に面する側に相当する。非肌対向面側Ｔ２は、使用時に、肌対向面側Ｔ１とは反対側、すなわち着用者の肌とは反対に向けられる側に相当する。
【００１４】
吸収性物品１は、股下域Ｓ１、前側域Ｓ２及び後側域Ｓ３を有する。股下域Ｓ１は、着用者の排泄口（例えば膣口）に対向する領域である。吸収性物品が下着に装着されたときに、股下域Ｓ１は、下着の股下部に位置する。つまり、股下域は、着用者の股下、すなわち着用者の両足の間に配置される領域である。
【００１５】
前側域Ｓ２は、股下域Ｓ１よりも前側に位置する。前側域Ｓ２の前端縁は吸収性物品１の前端縁を規定する。後側域Ｓ３は、股下域Ｓ１よりも後側に位置する。後側域Ｓ３の後端縁は吸収性物品１の後端縁を規定する。後側域Ｓ３の前後方向Ｌの長さは、股下域Ｓ１の前後方向Ｌの長さよりも長くなっていてよい。
【００１６】
股下域Ｓ１には、後述するウイング３が設けられていてよい。また、後側域Ｓ３には、幅方向Ｗの外側に膨らんだヒップフラップ４が設けられていてよい。
【００１７】
ウイング３の前端縁は、ウイング３の付け根によって規定されており、最も幅方向Ｗの内側に窪んだ２つの部分のうち、前側に位置する部分に相当する。ウイング３の前端縁は、股下域Ｓ１と前側域Ｓ２との境界を規定していてもよい。ウイング３の後端縁は、ウイング３の付け根によって規定されており、最も幅方向Ｗの内側に窪んだ２つの部分のうち、後側に位置する部分に相当する。ウイング３の後端縁は、股下域Ｓ１と後側域Ｓ３との境界を規定していてもよい。ここで、前後方向Ｌにおけるウイング３の前端縁とウイング３の後端縁との間の領域を「ウイング域」と称する。ウイングを有する吸収性物品では、股下域Ｓ１は、ウイング域と実質的に同じ領域となる。したがって、本明細書において、「股下域Ｓ１」との語は、「ウイング域」と読み替えることができることに留意すべきである。
【００１８】
吸収性物品１は、肌面シート１０、非肌面シート２０及び吸収体３０を有する。肌面シート１０は、吸収体３０よりも肌対向面側Ｔ１に設けられる。非肌面シート２０は、吸収体３０よりも非肌対向面側Ｔ２に設けられる。吸収体３０は、肌面シート１０と非肌面シート２０との間に設けられる。
【００１９】
肌面シート１０は、表面シート１１及びサイドシート１２を有していてよい。表面シート１１は、体液等の液体を透過する液透過性のシートである。表面シート１１は、幅方向Ｗにおける吸収体３０の中央部を覆う。表面シート１１は、前後方向Ｌに前側域Ｓ２から後側域Ｓ３まで延びていてよい。
【００２０】
表面シート１１は、不織布、織布、有孔プラスチックシート、メッシュシート等、液体を透過する構造を有する任意のシート状の材料から構成される。織布や不織布の素材としては、天然繊維、化学繊維のいずれも使用できる。
【００２１】
サイドシート１２は、幅方向Ｗにおける表面シート１１の外側縁を覆い、表面シート１１よりも幅方向Ｗの外側へ延びている。なお、本実施形態では、吸収性物品１はサイドシート１２を有しているが、吸収性物品１はサイドシート１２を有していなくてもよい。この場合、表面シート１１は吸収体３０全体を覆っていてよい。
【００２２】
サイドシート１２は、表面シート１１と同様の材料から構成することができる。ただし、表面シート１１に付着した体液が、サイドシート１２を乗り越えて、幅方向Ｗにおいて吸収性物品１の外側へ漏れ出すことを防止するためには、サイドシート１２は、疎水性又は撥水性を有することが好ましい。サイドシート１２は、幅方向Ｗにおける吸収体３０の外側縁、ウイング３及びヒップフラップ４に配置されていてよい。
【００２３】
非肌面シート２０は、液不透過性のシートである。非肌面シート２０は、ポリエチレンシート、ポリプロピレン等を主体としたラミネート不織布、通気性の樹脂フィルム、スパンボンド、又はスパンレース等の不織布に通気性の樹脂フィルムが接合されたシートなどを用いることができる。非肌面シート２０は、吸収体３０の非肌対向面側Ｔ２に配置され、かつウイング３とヒップフラップ４に跨って配置されている。非肌面シート２０は、吸収性物品１の非肌面を構成する。なお、吸収体の非肌対向面側に配置されるシートと、ウイングに配置されるシートと、ヒップフラップに配置されるシートとは、本実施の形態のように一体化されていてもよいし、別々のシートによって構成されていてもよい。
【００２４】
吸収体３０は、少なくとも股下域Ｓ１及び後側域Ｓ３に配置される。また、吸収体３０は、股下域Ｓ１から前側域Ｓ２まで延びていてもよい。吸収体３０は、液体を吸収する吸収材料を含む吸収コア３１と、吸収コア３１を包むコアラップ３２と、を有する。コアラップ３２は、少なくとも吸収コア３１よりも肌対向面側で吸収コア３１を覆っていればよい。具体的一例として、コアラップ３２は、吸収コア３１よりも肌対向面側に配置される第１コアラップ３２１と、吸収コア３１よりも非肌対向面側に配置される第２コアラップ３２２と、を有していてよい。第１コアラップ３２１及び第２コアラップ３２２は、同一のシートから構成されていてもよい。吸収コア３１を構成する吸収材料は、例えば、親水性繊維、パルプ及び高吸水性高分子（ＳＡＰ）から形成できる。コアラップ３２は、例えば不織布やティッシュシートから構成することができる。コアラップ３２は、疎水性を有していてよい。コアラップ３２が疎水性を有することにより、防漏性を高めることができる。
【００２５】
前述したように、吸収性物品１は、ウイング３及びヒップフラップ４を有する。ウイング３及びヒップフラップ４は、股下域Ｓ１における吸収コア３１の外側縁よりも幅方向Ｗの外側に延出している。
【００２６】
ウイング３及びヒップフラップ４は、サイドシート１２と、後述するフラップシート１５と、非肌面シート２０と、の積層によって構成されていてよい。ウイング３は、非肌面シート２０側に折り返し可能に構成されている。ウイング３は、使用時に下着のクロッチ部の非肌対向面側に折り返される。
【００２７】
ヒップフラップ４は、ウイング３よりも後側に位置し、後側域Ｓ３に設けられている。ヒップフラップ４は、股下域Ｓ１の吸収コア３１の外側縁よりも幅方向の外側に延びている。ヒップフラップ４が配置された領域は、股下域Ｓ１の吸収コア３１の外側縁よりも幅方向外側に位置する。ヒップフラップ４は、使用時に折り返されず、下着と着用者の臀部との間に配置される。本実施形態では、ヒップフラップ４には吸収材料が設けられていない。この代わりに、ヒップフラップ４には、吸収材料が設けられていてもよい。
【００２８】
ヒップフラップ４の外縁は、幅方向外側に膨らむ円弧形状である。ヒップフラップ４の側縁は、多数の凸部４Ｆを有する波形形状に形成されていてよい。多数の凸部４Ｆは、一方のヒップフラップ４の外縁４Ｅから後側域Ｓ３の後端縁を経て他方のヒップフラップ４の外縁まで延びていることが好ましい。この代わりに、多数の凸部４Ｆは、一対のヒップフラップ４の外縁のみに形成されていてもよい。各々の凸部４Ｆの幅は、好ましくは２０ｍｍ以下、より好ましくは１０ｍｍ以下である。また、各々の凸部４Ｆの幅は、３ｍｍ以上であることが好ましい。
【００２９】
また、ヒップフラップ４の側縁には、複数の凸４Ｆ部と、凸部４Ｆ間の凹部と、が交互に形成されている。ヒップフラップ４の外縁４Ｅに外側から局所的に力が加えられたとき、力の作用点付近に設けられた少数の凸部４Ｆが折り返される。しかしながら、凸部４Ｆ同士の間に隙間（凹部）が存在するため、ある凸部４Ｆに加えられた力は、隣接する凸部４Ｆに伝わり難くなっている。その結果、局所的に力が加えられた凸部４Ｆを基点にヒップフラップ４が大きくめくれるということが抑制される。
【００３０】
また、本明細書における「厚さ」の測定は、以下の測定方法によって行われるものとする。
吸収性物品１がパッケージなどに封入されている場合には、パッケージから取り出し、その状態にて20℃±2℃、相対湿度60％±5％RHの雰囲気下において12時間放置したサンプルを用いる。
【００３１】
測定する際は、吸収性物品が縮んだ状態ではなく、吸収性物品の伸縮性部材を伸張させた状態として測定する。尾崎製作所（株）製のダイアルゲージ ＰＥＡＣＯＣＫを使用し、測定子には直径１０ｍｍのものを採用し、大きさが３０ｍｍ×３０ｍｍの試片を用意して、当該試片の厚みを測定する。測定器は、試片に対する測定圧が３ｇ／ｃｍ２となるように調整する。ここで、１０サンプルに対して、それぞれの状態で上述の測定を行い、その平均値を、長さとした。
【００３２】
なお、本明細書における「吸収コアの目付及び密度」の測定は、以下の測定方法によって行われるものとする。
吸収性物品１がパッケージなどに封入されている場合には、パッケージから取り出し、その状態にて20℃±2℃、相対湿度60％±5％RHの雰囲気下において12時間放置したサンプルを用いる。
【００３３】
包装体によって包装された吸収性物品においては包装体を開封し、折り畳まれた吸収性物品を展開して、目付及び密度を測定する部分の厚み及び面積を測定する。次いで、目付及び密度を測定する部分を吸収性物品から切り出し、切り出した部分の重量を測定する。次いで、切り出した部分から表面シート及びコアラップ等、吸収コア以外の部分を取り除き、吸収コアの重量を測定する。吸収コアの重量と、目付及び密度を測定する部分の面積とに基づいて目付を算出する。目付及び厚みに基づいて、密度を算出する。
【００３４】
また、本明細書における「長さ」の測定は、以下の測定方法によって行われるものとする。
吸収性物品１がパッケージなどに封入されている場合には、パッケージから取り出し、その状態にて20℃±2℃、相対湿度60％±5％RHの雰囲気下において12時間放置したサンプルを用いる。
【００３５】
次いで、シンワ測定株式会社製のスプリングメジャー（テープ：ガラス繊維入塩ビ被覆）を用いて、測定対象部位に沿わせるようにして、測定対象部位のこの状態の長さを測定する。ここで、１０サンプルに対して、それぞれの状態で上述の測定を行い、その平均値を、長さとした。
【００３６】
（２）吸収体の詳細構成
次に、吸収体３０の構成についてより具体的に説明する。吸収体３０は、少なくとも股下域Ｓ１に、中高部３３を有する。中高部３３は、股下域Ｓ１から前側域Ｓ２へ延びていてもよい。中高部３３は、股下域Ｓ１において、中心線ＣＬを跨いで配置されている。中心線ＣＬは、吸収性物品の幅方向の中心を通り、前後方向Ｌに沿って延びる線である。
【００３７】
中高部３３は、中高部３３のまわりの領域の吸収コア３１の厚みよりも吸収コア３１の厚みが厚い領域を意味する。中高部３３の吸収材料の目付は、股下域Ｓ１内の中高部３３以外の領域における吸収コア３１の目付よりも高くてもよい。中高部３３は、後述する第１低目付部４１に隣接していてよい。好ましくは、第１低目付部４１の後側の吸収コア３１は、中高部３３の厚みよりも薄い。より好ましくは、後側域Ｓ３全体の吸収コア３１は、中高部３３の厚みよりも薄い。中高部３３は、最も厚みが厚い最高部と、最高部へ繋がる傾斜部と、を有する。この傾斜部は、最高部と後述の前側圧搾部との間、及び最高部と第１低目付部４１との間に配置されていてよい。
【００３８】
吸収コア３１は、第１低目付部４１、第２低目付部４２及び第３低目付部４３を有していてよい。ここで、「低目付部」は、その周囲の吸収コア３１よりも低い目付を有する吸収コア３１からなる領域、又は吸収コア３１を有していない領域を意味する。このように、「低目付部」は、吸収コア３１の目付が零である領域を含む概念である。
【００３９】
すなわち、「低目付部」は、厚み方向Ｔに吸収コア３１を貫通したスリットであってもよい。スリットは、設計上の目付が零であるが、周囲から混入した吸収材料が配置された領域であってもよい。スリットの幅方向Ｗの長さは、１ｍｍ〜５ｍｍであることが好ましい。例えば、スリットの幅方向の長さが１ｍｍ未満であると、スリット間に吸収材料が流入し、吸収コアの変形基点を構成できないことがある。また、スリットの幅方向の長さが５ｍｍを超えると、着用者が体液の伝え漏れに対する不安を感じることがある。
【００４０】
低目付部４１〜４３における吸収コア３１の目付は、好ましくは１５０ｇ／ｍ２以下、より好ましくは、１００ｇ／ｍ２以下である。また、低目付部４１〜４３における吸収コア３１の目付は、実質的に０ｇ／ｍ２であることがさらに好ましい。また、低目付部４１〜４３における吸収コア３１の目付は、低目付部４１〜４３のまわりの吸収コア（中高部を除く）の目付の６０％以下であることが好ましく、５０％以下であることがより好ましい。
【００４１】
「低目付部」が吸収コア３１を有していない領域である場合でも、コアラップ３２は、低目付部を跨いで吸収コア３１全体を包んでいてよい。この場合、吸収コア３１が複数の領域に分断されていたとしても、吸収体３０は、コアラップ３２によって一体的に形成される。
【００４２】
第１低目付部４１、第２低目付部４２及び第３低目付部４３は、吸収体３０の剛性が変化する境目となる。したがって、第１低目付部４１、第２低目付部４２及び第３低目付部４３は、吸収体３０が変形し易い領域に相当する。
【００４３】
第１低目付部４１は、股下域Ｓ１と後側域Ｓ３との間において幅方向Ｗに延びている。第１低目付部４１は、幅方向Ｗに沿って直線的に延びていてもよいし、幅方向Ｗに沿って曲線的に延びていてもよい。
【００４４】
第１低目付部４１は、前後方向Ｌにおけるウイング３の中心よりも後側かつ吸収体３０の後側縁よりも前側に設けられていてよい。第１低目付部４１は、前後方向Ｌにおいて、ウイング３の後端縁を跨ぐように設けられていてもよい。
【００４５】
本実施形態では、第１低目付部４１は、第１低目付部４１の幅方向Ｗの中央が後方に突出した曲線形状である。より詳細には、第１低目付部４１の幅方向Ｗの中心は、第１低目付部４１の外側縁よりも後方に位置する。第１低目付部４１の前後方向Ｌにおける長さは、一定であってもよいし、一定でなくてもよい。第１低目付部４１よりも前側に位置する股下域Ｓ１は、両脚によって挟まれ、脚の動きによって捻じれる力がかかり易い。吸収性物品１は、第１低目付部４１が曲線形状であるため、身体のねじれに対して追従し易く、身体の動きによる変形を逃がしやすくなる。
【００４６】
好ましくは、幅方向Ｗにおける第１低目付部４１の長さは、２５ｍｍ以上である。これにより、股下域Ｓ１における吸収体３０の動きが、後側域Ｓ３に伝わることを抑制できる。より好ましくは、第１低目付部４１は、幅方向Ｗにおいて、吸収体３０の一端から他端まで延びている。この場合、第１低目付部４１の前端縁が股下域Ｓ１の後端縁を規定していてもよく、第１低目付部４１の後端縁が後側域Ｓ３の前端縁を規定していてもよい。
【００４７】
第１低目付部４１が幅方向Ｗにおいて吸収体３０の一端から他端まで延びていることにより、吸収コア３１を構成する吸収材料は、股下域Ｓ１と後側域Ｓ３との間で移動し難くなる。したがって、着用中の動作により、吸収コア３１を構成する吸収材料が局所的に集中することをより抑制することができる。
【００４８】
前後方向Ｌにおける第１低目付部４１の長さは、吸収性物品１の中心線ＣＬの位置で、好ましくは１０ｍｍ以上かつ５０ｍｍ以下であり、より好ましくは１０ｍｍ以上かつ３０ｍｍ以下である。
【００４９】
実施の形態の吸収性物品１は、第１低目付部４１を有することにより、股下域Ｓ１と後側域Ｓ３とで独立した変形を実現できる。より詳細には、第１低目付部の長さが１０ｍｍ以上という長さを有し、かつ第１低目付部が一端から他端まで延びていることにより、吸収性物品が第１低目付部４１のところで厚み方向以外の方向にも変形可能になり、股下域Ｓ１と後側域Ｓ３の変形が互いに干渉することなく、独立して変形できる。その結果、寝た姿勢や歩行中のような着用者の動作によって吸収性物品１に様々な外力が加わった場合であっても、股下域Ｓ１と後側域Ｓ３とが独立に変形することで、股下域Ｓ１と後側域Ｓ３とがそれぞれ身体の形状に合わせてフィットし続けることができる。
【００５０】
股下域Ｓ１には中高部３３が設けられているため、股下域Ｓ１の吸収性能を確保するとともに、股下域Ｓ１のフィット性を向上できる。一実施形態の吸収性物品は、股下域Ｓ１を身体に沿わせるとともに、後側域Ｓ３を身体の動きに応じて追従させることが可能となる。
【００５１】
第２低目付部４２は、後側域Ｓ３において、吸収コアの幅方向中央に位置する。第２低目付部４２は、後側域Ｓ３において、吸収性物品の中心線ＣＬに沿って前後方向Ｌに延びている。第２低目付部４２は、前後方向Ｌに直線的に延びていてよい。第２低目付部４２は、第１低目付部４１と繋がっていることが好ましい。
【００５２】
第１低目付部４１及び第２低目付部４２により、吸収コア３１を構成する吸収材料は、股下域Ｓ１（又はウイング域）と、後側域Ｓ３の右側部分と、後側域Ｓ３の左側部分との間で移動し難くなる。これにより、着用中の動作により、吸収コア３１を構成する吸収材料が局所的に集中することを抑制することができる。その結果、吸収性物品１の着用中に、着用者の違和感を緩和することができる。したがって、着用者は、特に寝た姿勢においても、違和感を覚え難い。
【００５３】
また、後側域Ｓ３において吸収コア３１の側部である高目付部４５が左右の臀部によって押し下げされると、後側域Ｓ３の吸収コア３１の幅方向の中央は、第２低目付部４２を頂点として着用者側に隆起する。よって、着用中に、第２低目付部４２は、着用者の肌側に向けて突出する。第２低目付部４２は、後側域Ｓ３で前後方向Ｌに沿って延びているため、着用者の臀裂に沿ってフィットし易くなる。さらに、前述したように、第１低目付部４１によって、股下域Ｓ１と後側域Ｓ３とで、吸収性物品が独立して変形し易くなっている。すなわち、吸収性物品１は、股下域Ｓ１と後側域Ｓ３とで独立に変形することで、股下域Ｓ１と後側域Ｓ３の両方で身体の形状に合わせてフィットし得る。
【００５４】
第２低目付部４２の後端縁は、前後方向における後側域Ｓ３の中心よりも後側に位置していてよい。また、第２低目付部４２の後端縁は、ヒップフラップ４の最大幅の位置Ｐ１よりも後側に位置していてよい。第２低目付部４２の前後方向Ｌの長さは、１２０ｍｍ以上であることが好ましく、１５０ｍｍ以上であることがより好ましい。好ましくは、幅方向Ｗにおける第２低目付部４２の長さは、１ｍｍ以上かつ５ｍｍ以下である。着用者の身体の前後方向Ｌに沿った断面において、臀部間の溝（臀裂）は、会陰部よりも後方から尾てい骨に至る領域に存在する。吸収性物品の使用中に、第２低目付部４２は、着用者の臀裂の領域に配置される。
【００５５】
第３低目付部４３は、後側域Ｓ３において、第２低目付部４２から幅方向Ｗの外側に延びている。第３低目付部４３は、第２低目付部４２に繋がっていてよい。第３低目付部４３の前側の縁線は、幅方向Ｗの内側において、幅方向Ｗに実質的に平行に延びていてよい。また、第３低目付部４３の前側の縁線は、幅方向Ｗの外側において、前方に張り出していてよい。第３低目付部４３の後側の縁線は、幅方向Ｗの内側から外側に向かうにつれて、前方に傾斜していてよい。第３低目付部４３は、幅低目付部を構成する。
【００５６】
第３低目付部４３を境界として剛性が変化するため、第３低目付部４３は、吸収性物品１の変形の基点となる。吸収性物品１の後側域Ｓ３には、幅方向に延びる変形の基点が形成される。後側域Ｓ３の吸収コア３１は、第３低目付部４３を基点に変形できるため、吸収性物品１が身体の前後方向Ｌに沿った丸みに沿ってよいフィットし易くなる。特に、第３低目付部４３の後側の縁線が、幅方向Ｗの内側から外側に向かうにつれて前方に傾斜する形状であるため、着用者の臀部の丸みに沿って配置され易くなる。
【００５７】
幅方向Ｗにおける第３低目付部４３の外側縁は、後側域Ｓ３の吸収コア３１の外側縁よりも内側に位置する。第３低目付部４３は、前後方向Ｌに間隔を空けて複数設けられていてよい。第３低目付部４３は、本実施の形態における曲部を構成する。第３低目付部４３は、吸収性物品が厚み方向に曲がることができるように構成される。「曲部」は、幅方向に沿って延びていればよく、幅方向に対して平行であってもよいし、幅方向に対して傾斜していてもよい。「曲部」は、吸収コアの変形基点となる構成であればよく、低目付部によって構成されていてもよいし、吸収コア３１が厚み方向に圧縮された圧搾部であってもよい。
【００５８】
吸収コア３１は、後側域Ｓ３において、第２低目付部４２よりも幅方向外側に位置する高目付部４５を有する。高目付部４５の吸収材料の目付は、その周囲の吸収コア３１の吸収材料の目付よりも低い。高目付部４５は、後側域Ｓ３の吸収コアのうち、第２低目付部４２と第３低目付部を除いた部分である。第２低目付部４２、第３低目付部４３及び高目付部４５は、表面シート１１によって覆われている。
【００５９】
（３）圧搾部
吸収性物品１は、少なくとも吸収コア３１が厚み方向Ｔに圧縮されることによって形成された圧搾部を有する。この圧搾部は、前側圧搾部８１と、長手圧搾部８２と、一対の後側圧搾部８４と、を有していてよい。
【００６０】
前側圧搾部８１は、少なくとも股下域Ｓ１に設けられている。前側圧搾部８１は、股下域Ｓ１から前側域Ｓ２へ延びていてもよい。前側圧搾部８１は、表面シート１１と吸収コア３１とコアラップ３２とが厚み方向Ｔに圧縮されることによって形成されていてよい。前側圧搾部８１は、中高部３３の幅方向Ｗ両側に設けられた前後方向Ｌに沿った区間を有する。前側圧搾部８１は、中高部３３の幅方向Ｗにおける側縁を規定していてよい。
【００６１】
長手圧搾部８２は、後側域Ｓ３で、中心線ＣＬ、より具体的には第２低目付部４２を挟んで両側に設けられている。長手圧搾部８２は、吸収体３０と表面シート１１とが厚み方向に圧縮されることによって形成されていてよい。
【００６２】
後側域Ｓ３において吸収コア３１の側部である高目付部４５が左右の臀部によって押し下げされると、後側域Ｓ３の吸収体の幅方向の中央は、第２低目付部４２を頂点として着用者側に隆起する。長手圧搾部８２は、第２低目付部４２の幅方向における両側に配置されており、第２低目付部４２が着用者側に隆起する際の変形の基点となる。長手圧搾部８２を有することにより、第２低目付部４２による凸状の変形を維持し易くなり、着用者の臀部間の隙間に吸収体３０をフィットさせ易くすることができる。
【００６３】
長手圧搾部８２は、前後方向Ｌに沿って延びている。長手圧搾部８２は、前後方向Ｌに直線的に延びていてもよいし、前後方向Ｌに対して傾斜して曲線的に延びていてもよい。長手圧搾部８２は、ヒップフラップ４の最大幅の位置Ｐ１よりも前側に形成されていてよい。
【００６４】
前側圧搾部８１と長手圧搾部８２は、前後方向において分断されていてよい。前側圧搾部８１と長手圧搾部８２が分断されていることにより、股下域Ｓ１と後側域Ｓ３で力が伝播することを抑制できる。よって、股下域Ｓ１と後側域Ｓ３とで独立に変形することで、股下域Ｓ１と後側域Ｓ３の両方で身体の形状に合わせてフィットし得る。なお、変形例として、前側圧搾部８１と長手圧搾部８２は、連続的に繋がっていてもよい。
【００６５】
一対の後側圧搾部８４は、後側域Ｓ３で、中心線ＣＬを挟んで両側に設けられている。後側圧搾部８４は、吸収体３０と表面シート１１とが厚み方向に圧縮されることによって形成されていてよい。一対の後側圧搾部８４は、吸収性物品の幅方向Ｗの中心を通る中心線ＣＬを挟んで互いに離間して設けられている。一対の後側圧搾部８４は、ヒップフラップ４の最大幅の位置Ｐ１よりも後側に位置していてよい。
【００６６】
一対の後側圧搾部８４は、幅方向におけるヒップフラップの最大幅の位置Ｐ１よりも後側に位置し、一対の後側圧搾部８４は、後側に向かうにつれて幅方向の距離が広がる幅広区間を有する。幅方向におけるヒップフラップの最大幅は、前後方向における後側域Ｓ３の中央よりも後側に位置している。
【００６７】
幅広区間によって挟まれた幅広領域は、着用者の仙骨付近に相当する。この領域に圧搾部が存在せず、この領域の両側に比較的剛性の高い一対の後側圧搾部８４が存在する。これより、幅広領域は、比較的平坦な面に維持される。比較的平坦な面が仙骨付近の皮膚にあたることから、着用者の肌に与える影響を軽減することができる。また、幅広領域が比較的平坦な面に維持されるため、幅広領域よりも前側に位置する第２低目付４２部による凸状の変形をフラットな状態にすることができる。
【００６８】
一対の後側圧搾部８４は、仙骨付近に対向する領域と、臀部の肉厚部に対向する部分との間を仕切るように配置されている。臀部は比較的激しく動くため、吸収性物品１の臀部に対向する部分も着用者の動きに応じて動きやすい。この吸収性物品１の移動は、比較的剛性の高い一対の後側圧搾部８４によって、仙骨に対向する領域、すなわち幅広領域に伝わりにくくなっている。その結果、幅広領域を比較的平坦な面に維持することができ、着用者の肌に与える影響を軽減することができる。また、幅広領域内には剛性の高い圧搾部がないことが好ましい。これにより、着用者の肌へ与える影響をより緩和することができる。
【００６９】
また、一対の長手圧搾部８２は、一対の後側圧搾部８４から離れて配置されている。これにより、後側域Ｓ３の後方の吸収コア３１の動きが、後側域Ｓ３の前方の吸収コア３１の動きに追従することを抑制することができる。特に、後側域Ｓ３の前方の吸収コアは着用者のおしりの動きに合わせて比較的大きく動くことがある。この場合であっても、一対の長手圧搾部８２と一対の後側圧搾部８４とが互いに離間しているため、後側域Ｓ３の後方の吸収コアの動きが緩和される。したがって、幅広領域の吸収コアの動きが緩和されるため、着用者の仙骨付近に与える刺激を低下することができる。
【００７０】
吸収性物品１は、肌面シート１０及び非肌面シート２０を構成するシートのうちの少なくとも２枚を厚み方向Ｔに圧着することによって形成された第１の圧搾部８５、第２の圧搾部８７及び第３の圧搾部８６を有していてもよい（図１参照）。第１の圧搾部８５、第２の圧搾部８７及び第３の圧搾部８６は、ヒップフラップ４の外縁に沿って形成されていてよい。
【００７１】
（４）粘着部
図２に示すように、吸収性物品１には、吸収性物品１を下着Ｓに止めるための粘着剤を有する粘着部６０が設けられている。粘着部６０は、第１本体粘着部６１、第２本体粘着部６２、ウイング粘着部６３及びヒップフラップ粘着部６４を有する。これらの粘着部６１〜６４は、非肌面シート２０の非肌対向面側に設けられている。粘着部６１〜６４は、使用前の状態において、剥離シートによって覆われていてもよい。剥離シートは、使用前に粘着部６１〜６４の粘着剤の劣化を防止する。剥離シートは、使用時に、着用者によって取り外される。
【００７２】
第１本体粘着部６１は、第２本体粘着部６２よりも前方に配置されている。第１本体粘着部６１及び第２本体粘着部６２は、前後方向Ｌに延びている。第１本体粘着部６１は、第２本体粘着部６２から前後方向Ｌに離間して配置されている。第１本体粘着部６１は、第１低目付部４１よりも前側で、股下域Ｓ１と前側域Ｓ２に跨って配置されていてよい。第２本体粘着部６２は、第１低目付部４１よりも後側で、後側域Ｓ３に配置されている。第１本体粘着部６１及び第２本体粘着部６２は、中心線ＣＬ上に設けられていないことが好ましい。ウイング粘着部６３はウイング３に設けられている。ヒップフラップ粘着部６４はヒップフラップ４に設けられている。
【００７３】
第１低目付部４１は、厚み方向Ｔにおいて、粘着部６１〜６４と重ならない領域に配置されていることが好ましい。より具体的には、第１低目付部４１は、第１本体粘着部６１と第２本体粘着部６２との間の領域に設けられている。
【００７４】
また、粘着部６０は、表面シート１１に重なる領域に配置されていてもよい。本実施の形態の第２本体粘着部６２は、表面シート１１と重なる領域に配置される。
【００７５】
粘着部６０は、第２低目付部４２に重なる領域に配置されていなくてよい。第２低目付部４２は、下着に固定されず、吸収性物品１の変形時に身体の動きに追従して変形し易くなる。第２低目付部４２が柔軟に変形することにより、吸収性物品の肌対向面も柔軟に変形でき、吸収性物品の肌対向面の柔らかさを維持し易くなる。
【００７６】
一実施形態の吸収性物品は、第２低目付部４２が配置された領域に粘着部６０が配置されず、当該第２低目付部４２よりも剛性が高い高目付部４５が配置された領域に粘着部６０が配置される。また、後述する緩衝領域Ｂに粘着部６０が配置されず、当該緩衝領域Ｂよりも剛性が高い高目付部４５が配置された領域に粘着部６０が配置される。比較的剛性が高い領域は、粘着部６０を介して下着からの力を受けることができる。一方、比較的剛性が低い領域は、粘着部６０が配置されず、下着からの力を受けずに、柔軟に変形できる。
【００７７】
第２低目付部４２は、厚み方向Ｔにおいて、粘着部６１〜６４と重ならない領域に配置されていることが好ましい。より具体的には、第２低目付部４２は、複数の第２本体粘着部６２同士の間に設けられている。
【００７８】
（５）フラップシート
次に、フラップシート１５について説明する。フラップシート１５は、股下域Ｓ１、前側域Ｓ２及び後側域Ｓ３に跨って配置される。フラップシート１５は、ウイング３とヒップフラップ４に配置される。なお、フラップシート１５は、少なくとも後側域Ｓ３に配置されていればよい。フラップシート１５は、少なくともヒップフラップ４に配置されていればよい。
【００７９】
フラップシート１５は、厚み方向Ｔにおいてサイドシート１２と非肌面シート２０との間に配置される。フラップシート１５の外側縁１５ＯＥは、ヒップフラップ４の外側縁に位置する。フラップシート１５の幅方向外側における外周形状は、幅方向外側に膨らむ円弧形状である。フラップシート１５の内側縁１５ＩＥは、表面シート１１の外側縁１１ＯＥよりも幅方向外側に配置される。フラップシート１５の幅方向内側における外周形状は、前後方向Ｌに延びる直線形状である。
【００８０】
フラップシート１５は、不織布、織布、有孔プラスチックシート、メッシュシート等、液体を透過しない構造を有する任意のシート状の材料から構成される。本実施の形態のフラップシートは、親水性のエアスルー不織布を用いている。このような嵩高な不織布をフラップシートとして用いることで、フラップシート１５が配置された領域と吸収体３０との厚み差を減らすことができる。フラップシートが配置された領域が臀部に接触したときに、ヒップフラップ４の存在感を出すことができ、装着時に臀部を包み込んでいるという安心感を与えることができる。
【００８１】
図３に示すように、フラップシート１５と表面シート１１は、幅方向Ｗにおいて離間して配置されている。フラップシート１５が配置された領域は、サイドシート１２、フラップシート１５、及び非肌面シート２０が積層されており、３層のシート材を有する。ヒップフラップ４において表面シート１１が配置された領域（吸収コア３１よりも幅方向外側において表面シート１１が配置された領域）は、サイドシート１２、表面シート１１、及び非肌面シート２０が積層されており、３層のシート材を有する。また、表面シート１１の外側縁１１ＯＥよりも幅方向外側であって、フラップシート１５よりも幅方向内側に位置する領域は、サイドシート１２と非肌面シート２０を有し、２層のシート材を有する。表面シート１１の外側縁１１ＯＥよりも幅方向外側であって、フラップシート１５よりも幅方向内側に位置する領域の層数は、フラップシート１５が配置された領域の層数よりも少なく、ヒップフラップ４において表面シート１１が配置された領域の層数よりも少ない。
【００８２】
表面シート１１の外側縁１１ＯＥとフラップシート１５の内側縁１５ＩＥとの間の領域の厚みは、表面シート１１の外側縁１１ＯＥよりも幅方向内側の領域の厚みよりも薄く、かつフラップシート１５の内側縁１５ＩＥよりも幅方向外側の領域の厚みよりも薄い。本実施の形態において、表面シート１１の外側縁１１ＯＥよりも幅方向内側の領域の厚みは、３．５ｍｍ〜４．５ｍｍである。フラップシート１５の内側縁１５ＩＥよりも幅方向外側の領域の厚みは、１．０ｍｍ〜２．０ｍｍである。表面シート１１の外側縁１１ＯＥとフラップシート１５の内側縁１５ＩＥとの間の領域の厚みは、１．０ｍｍ未満である。なお、表面シート１１の外側縁１１ＯＥよりも幅方向外側であって、フラップシート１５の内側縁１５ＩＥよりも幅方向内側に位置する領域とは、表面シート１１の外側縁１１ＯＥとフラップシート１５の内側縁１５ＩＥとの間の領域である。
【００８３】
表面シート１１の外側縁１１ＯＥとフラップシート１５の内側縁１５ＩＥとの間の領域は、幅方向Ｗにおいて隣接する領域よりも層数が少なく、剛性が低い。よって、表面シート１１の外側縁１１ＯＥとフラップシート１５の内側縁１５ＩＥとの間の領域は、吸収性物品１が変形する際に、隣接する領域よりも変形し易く、変形を吸収する緩衝領域Ｂとして機能する。以下の説明において、表面シート１１の外側縁１１ＯＥとフラップシート１５の内側縁１５ＩＥとの間の領域を緩衝領域Ｂとする。緩衝領域Ｂの前端縁は、フラップシート１５の前端縁に一致する。緩衝領域Ｂの後端縁は、フラップシート１５の後端縁に一致する。
【００８４】
緩衝領域Ｂには、粘着部６０が配置されていなくてよい。粘着部６０は、フラップシート１５と重なる領域に配置されてもよい。本実施の形態のヒップフラップ粘着部６４は、フラップシート１５と重なる領域に配置される。
【００８５】
フラップシート１５は、ウイング３に配置されている。ウイング３は、サイドシート１２と、フラップシート１５と、非肌面シート２０と、の３層が積層されている。フラップシート１５によってウイング３の剛性が高くなるため、ウイング３の側縁のよれを防止できる。よって、装着時にウイング３を下着の非肌面側に折り返す際や着用時に脚によってウイング３が挟まれた際において、ウイング３がよれたり折れたりすることを抑制できる。
【００８６】
（６）着用中の吸収性物品
次に、図４を参照し、着用中の吸収性物品の形状について説明する。図４は、着用者が仰向けに寝た状態における、図１のＡ−Ａ線に沿った模式断面図である。図４（ａ）から（ｃ）は、着用者が寝た状態において寝返りによって体勢が変化する態様を示している。図４（ａ）は、着用者が仰向けに寝ており、左右の臀部に均等に身体の重みがかかった状態を示す。図４（ｂ）は、寝返りをしている最中であって、左側の臀部よりも右側の臀部に身体の重みがかかった状態を示す。図４（ｃ）は、寝返りを完了して着用者が横向きに寝ており、図４（ｂ）で示す状態によりも更に右側の臀部に身体の重みがかかった状態を示す。なお、図４では、着用者の身体の形状を示すラインを二点鎖線で示している。また、図４では、着用者の身体を支える寝具等の床面Ｇを一点鎖線で示している。
【００８７】
吸収性物品１の股下域Ｓ１は、着用者の股下に対向して配置され、吸収性物品１の後側域Ｓ３は、着用者の臀部に対向して配置される。後側域Ｓ３の吸収コア３１は、着用者が仰向けで寝た状態（図４（ａ）に示す状態）で着用者の臀部によって押圧される。より詳細には、後側域Ｓ３の吸収コア３１の幅方向中央は、左右の臀部のふくらみの間に位置し、比較的体圧がかからない。一方、後側域Ｓ３の吸収コア３１の外側縁は、左右の臀部のふくらみに当たり、比較的体圧がかかる。吸収コア３１は、後側域Ｓ３の吸収コア３１の外側縁に位置する高目付部４５に体圧がかかった際に、第２低目付部４２を基点に着用者側に隆起するように変形し、左側の臀部と右側の臀部との間の凹みに沿って配置される（図４（ａ）参照）。
【００８８】
このように吸収性物品１が装着された状態において、寝返り等によって体勢が変化することがある。例えば、図４（ｂ）に示すように、着用者の身体の右側が左側よりも下になるように着用者の身体が動くことがある。着用者は、図４（ａ）から図４（ｂ）に動く際に、身体を捻る動きをする。具体的には、着用者の右脚及び右側の臀部は、右側の側面が下になるように回転しつつ右側に移動する。一方、着用者の左脚及び左側の臀部は、まず左脚が床面Ｇに触れた状態を維持し、左側の臀部を床面Ｇから浮かせる。その後、左脚は、左側の臀部に追従して床面から浮くように移動する。
【００８９】
また、着用者の体勢が変化して、図４（ｂ）に示す状態となると、右側の臀部が潰れるように変形する。右側の高目付部４５は、右側の臀部によって押され、右側に移動する（図４（ｂ）の矢印Ｘ参照）。緩衝領域Ｂの剛性は、表面シート１１の外側縁１１ＯＥよりも幅方向内側の領域の剛性よりも低く、フラップシート１５の内側縁１５ＩＥよりも幅方向外側の領域の剛性よりも低い。よって、高目付部４５が右側に移動すると、緩衝領域Ｂが変形する。このとき、緩衝領域Ｂの外側縁（フラップシート１５の内側縁１５ＩＥ）は、幅方向外側にほぼ移動せずに、緩衝領域Ｂの内側縁（表面シート１１の外側縁１１ＯＥ）は、幅方向外側に移動する。緩衝領域Ｂが狭くなり、緩衝領域Ｂによって吸収コア３１の変形（高目付部の移動）を吸収する。
【００９０】
また、図４（ｂ）に示す状態から着用者の身体の右側が左側よりも更に下になると、図４（ｃ）に示す状態となる。着用者の身体は、横向きの状態である。フラップシート１５の外側縁１５ＯＥは、右側の臀部によって押され、幅方向に移動できない。よって、高目付部４５が右側に移動すると、緩衝領域Ｂが変形する。緩衝領域Ｂが更に狭くなり、緩衝領域Ｂによって高目付部４５の移動を吸収する。
【００９１】
（７）作用・効果
一実施形態によれば、吸収性物品１のヒップフラップ４には、緩衝領域Ｂが設けられる。吸収性物品は、緩衝領域Ｂによって吸収コアの変形を吸収できる。緩衝領域Ｂは、表面シート１１が配置された領域よりも剛性が低く、かつフラップシート１５が配置された領域よりも剛性が低い。よって、高目付部４５が幅方向外側に移動した際に、高目付部４５の幅方向の移動を緩衝領域Ｂによって吸収できる。例えば、緩衝領域Ｂがない構成にあっては、高目付部４５が幅方向外側に移動しようとすると、高目付部４５が他の部材に当たることがある。高目付部４５は、他の部材に当たって圧縮され、一部が硬くなったり、一部がよれてしまったりする。
【００９２】
しかし、緩衝領域Ｂによって高目付部４５の移動を吸収できるため、吸収コア３１が繰り返し圧縮されることを抑制し、吸収コア３１の一部が硬くなったり、吸収コア３１の一部がよれてしまったりすることを抑制できる。吸収コアの変形による漏れの発生を抑制できる。また、吸収コアが硬くなると、吸収性物品の肌対向面が硬くなり、装着感が悪化することがある。しかし、一実施形態の吸収性物品によれば、何度も寝返りを繰り返した後であっても吸収コア３１の一部が硬くなることを抑制し、吸収性物品の肌対向面の柔らかさを維持することができる。よって、着用者は、一晩中吸収性物品を着用した場合であっても、吸収性物品の柔らかさを感じ続けることができ、吸収性物品を装着していることを忘れてしまうようなふわふわした心地よさを得ることができる。
【００９３】
また、上述のように、着用者は、寝返り等で体勢を変える際に、身体を捻る動きをする。よって、吸収性物品１には、捻じれる方向の力がかかる。例えば、吸収コア３１が捻じれると、力がかかる方向に吸収コアが移動し、吸収コア３１が硬くなったり、吸収コア３１が折れ曲がったりすることがある。一実施形態の吸収性物品１は、吸収コア３１の幅方向中央に第２低目付部４２が設けられているため、第２低目付部４２を挟んだ幅方向両側の吸収コア３１の動きが分断され易い。よって、吸収性物品１に捻じれる方向の力が作用した場合にあっても、第２低目付部４２より右側の吸収コア３１と、第２低目付部４２より左側の吸収コア３１と、が別々に動き、互いに連動し難くできる。また、吸収コア３１は、吸収コア３１の幅方向両側に配置された緩衝領域Ｂによって動き易い吸収コア３１の高目付部４５が第２低目付部４２と緩衝領域Ｂとによって挟まれているため、左右の高目付部４５が個々に動き易くなる。例えば、一方の高目付部４５に着用者の臀部がのった状態にあっても、高目付部４５の幅方向における移動しろがあり、捻じれる方向の移動に追従することができる。よって、着用者の体勢の変化によって吸収性物品に捻じれる力が作用した場合であっても、吸収コア３１の意図しない変形や偏り（ヨレ）を抑制しつつ、身体の動きに追従して吸収コア３１を変形させることができる。
【００９４】
粘着部６０は、ヒップフラップ４において、表面シート１１の外側縁１１ＯＥとフラップシート１５の内側縁１５ＩＥとの間の領域（緩衝領域Ｂ）に配置されてなくてよい。下着から吸収性物品１に掛かる力は、下着と吸収性物品１を固定する粘着部６０を介して伝わる。緩衝領域Ｂは、粘着部６０を介して下着に固定されず、吸収性物品１の変形時に身体の動きに追従して変形し易くなる。よって、吸収コア等の移動を緩衝領域Ｂによって吸収し易くなり、吸収コア３１の一部が硬くなったり、吸収コア３１の一部がよれてしまったりすることをより抑制できる。
【００９５】
粘着部６０は、フラップシート１５に重なる領域に配置されていてよい。フラップシート１５に重なって粘着部６０が配置されていることにより、フラップシート１５が配置されている領域は、下着に固定される。たとえば、着用者が寝返りをした際に、フラップシート１５が配置されている領域も吸収コア３１と共に幅方向外側に移動すると、吸収性物品全体の位置がずれ、横漏れが発生するおそれがある。しかし、フラップシート１５が配置されている領域が下着に固定され、着用者の身体に沿い続ける。よって、緩衝領域Ｂよりも幅方向外側の領域を身体に沿わせつつ、緩衝領域Ｂよりも幅方向内側の領域及び緩衝領域Ｂを身体の動きに応じて変形させることができる。よって、吸収コア３１の意図しない変形を抑制でし、またそれに伴って吸収コア３１のよれを抑制することができる。
【００９６】
第２低目付部４２は、吸収性物品１の厚み方向Ｔに吸収コア３１を貫通したスリットであってよい。第２低目付部４２がスリットであるため、高目付部４５に体圧がかかった際に、第２低目付部４２に吸収材料が配置されている構成と比較して、第２低目付部４２を基点により変形し易くなる。よって、左側の臀部と右側の臀部との間の凹みに沿って吸収コア３１が配置され易くなる。身体の動きに対して吸収コア３１がより追従し易くなり、体液の漏れを抑制できる。
【００９７】
また、第２低目付部４２がスリットであることにより、吸収コア３１が柔軟に変形でき、吸収性物品の肌対向面の柔らかさを維持することができる。また、第２低目付部４２がスリットであることにより、第２低目付部４２を挟んで幅方向両側に位置する吸収コア３１の動きを分断できる。よって、右側の吸収コア３１と、左側の吸収コア３１と、を互いに連動させずに別々に動かすことができる。吸収性物品に捻じれる方向の力が作用した場合においても、左右の吸収コアに掛かる力を第２低目付部４２で分断し、左右の吸収コアを別々に移動させ、捻じれによる吸収コアのよれを防止できる。さらに、吸収コア３１がよれ難いため、身体（臀部）の窪みに沿った形状をより維持し易い。違和感がより発生し難くなり、肌に対しての柔らかさ、付け心地の良さを維持することができる。
【００９８】
フラップシート１５の外側縁１５ＯＥは、ヒップフラップ４の外側縁に位置してもよい。例えば、フラップシート１５の外側縁がヒップフラップ４の外側縁よりも幅方向内側に位置すると、ヒップフラップ４の外側縁の剛性が低くなり、臀部の変形に応じてヒップフラップ４の外側縁がよれ、横漏れが発生するおそれがある。しかし、フラップシート１５によってヒップフラップ４の外側縁の剛性を高めることができるため、ヒップフラップ４の外側縁から緩衝領域Ｂに至るまでの領域が身体に追従し続け易くなる。そのため、横漏れを抑制しつつ、緩衝領域Ｂの変形によって吸収コア３１の意図しない変形を抑制できる。
【００９９】
更に、フラップシート１５の外側縁１５ＯＥがヒップフラップ４の外側縁よりも幅方向内側に位置すると、フラップシート１５が配置された領域（フラップシート１５の外側縁１５ＯＥよりも幅方向内側の領域）と、フラップシート１５が配置されていない領域（フラップシート１５の外側縁１５ＯＥとヒップフラップ４の外側縁の間の領域）と、に剛性差が生じる。ヒップフラップ４に剛性差が生じすると、剛性差が生じる箇所を基点にヒップフラップ４の側縁がめくれてしまうおそれがある。フラップシート１５の外側縁１５ＯＥがヒップフラップ４の外側縁に位置することより、ヒップフラップ４の剛性差を少なくし、ヒップフラップ４の剛性差によるめくれを防止できる。
【０１００】
第２低目付部４２よりも幅方向外側に幅方向に延びる第３低目付部４３が設けられ、第３低目付部４３が曲部を構成してよい。曲部である第３低目付部４３によって幅方向に延びる変形基点が形成される。第３低目付部４３は、前後方向Ｌに間隔を空けて複数形成されているため、後側域Ｓ３に前後方向に間隔を空けて複数の変形基点が形成される。後側域Ｓ３には、着用者の臀部が当っており、寝た状態の着用者が起き上がる際に臀部の皮膚の伸縮に伴って前後方向Ｌに伸縮する力がかかる。後側域Ｓ３の吸収コア３１は、前後方向Ｌに引っ張られたり、前後方向Ｌに沿って動いたり、前後方向Ｌに圧縮されたりする。このとき、第３低目付部４３が吸収コア３１の動きを吸収する緩衝する領域として機能する。第３低目付部４３によって、吸収コア３１の伸縮等によるよれを抑制でき、吸収コア３１を身体にフィットさせ続け、違和感を抑制した状態を維持し易い。
【０１０１】
また、第３低目付部４３が前後方向に間隔を空けて複数形成されていることにより、後側域Ｓ３の吸収コアが前後方向に間隔を空けて複数の基点で変形でき、後側域Ｓ３の吸収コア３１が身体（臀部）の丸みに沿い易くなる。よって、吸収コア３１がより身体にフィットし、体液の漏れを抑制できる。
【０１０２】
表面シート１１の外側縁１１ＯＥとフラップシート１５の内側縁１５ＩＥとの間の領域(緩衝領域Ｂ)の厚みは、表面シート１１の外側縁１１ＯＥより幅方向内側の領域の厚みよりも薄くてもよく、かつフラップシート１５の内側縁１５ＩＥより幅方向外側の領域の厚みよりも薄くてよい。緩衝領域Ｂは、比較的厚みが薄く変形し易い。そのため、寝返り等で高目付部４５が幅方向外側に移動した際に、緩衝領域Ｂによって高目付部４５の移動を吸収しやすくなり、吸収体３０の意図しない変形を効果的に抑制できる。
【０１０３】
第２低目付部４２は、ヒップラップの最大幅の位置Ｐ１から幅方向に延びる仮想線上を跨がって配置されていてもよい。第２低目付部４２がヒップフラップの最大幅の位置よりも前方から後方に跨がって配置される。ヒップフラップの最大幅の位置は、吸収性物品において最も幅方向の長さが長く、吸収性物品１に力がかかった際に力を逃がしやすい。第２低目付部４２は、ヒップラップの最大幅の位置Ｐ１から幅方向に延びる仮想線上を跨がって配置されていることにより、吸収性物品１に捻れる方向の力がかかった際に広い面で力を逃がすことができ、ヒップフラップのよれを防止できる。
【０１０４】
幅低目付部としての第３低目付部４３は、ヒップラップの最大幅の位置Ｐ１から幅方向に延びる仮想線上を跨がって配置されていてもよい。第３低目付部４３がヒップフラップの最大幅の位置よりも前方から後方に跨がって配置される。吸収性物品１に捻れる方向の力がかり、第３低目付部４３を変形の基点として着用者の臀部の丸みに沿って変形する際に、吸収性物品において最も幅方向の長さが長い部分が変形し、ヒップフラップ４のよれを防止できる。
【０１０５】
上述のように、着用者の寝返り等によって高目付部４５が幅方向外側に移動すると緩衝領域Ｂによって当該変形を吸収する。高目付部４５が大幅に幅方向外側に移動すると、緩衝領域Ｂが変形を吸収しきれず、表面シート１１の外側縁１１ＯＥとフラップシート１５の内側縁１５ＩＥとが衝突することがある。表面シートの曲げ剛性がフラップシート１５の曲げ剛性よりも低いため、表面シート１１の外側縁１１ＯＥとフラップシート１５の内側縁１５ＩＥとが衝突した際にフラップシート１５が変形し、表面シート１１及び表面シート１１によって覆われる吸収コアの変形を抑制できる。
【０１０６】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【符号の説明】
【０１０７】
１        ：吸収性物品
１０      ：肌面シート
１１      ：表面シート
１２      ：サイドシート
１５      ：フラップシート
２０      ：非肌面シート
３０      ：吸収体
３１      ：吸収コア
３２      ：コアラップ
３２１    ：第１コアラップ
３２２    ：第２コアラップ
４１      ：第１低目付部
４２      ：第２低目付部
４３      ：第３低目付部
４５      ：高目付部
６１      ：第１本体粘着部
６２      ：第２本体粘着部
６３      ：ウイング粘着部
６４      ：ヒップフラップ粘着部
８１      ：前側圧搾部
８２      ：長手圧搾部
８４      ：後側圧搾部
Ｌ        ：前後方向
Ｗ        ：幅方向
Ｔ        ：厚み方向
Ｓ１      ：股下域
Ｓ２      ：前側域
Ｓ３      ：後側域
ＣＬ      ：中心線
【図１】
2017086382.tif 000003
【図２】
2017086382.tif 000004
【図３】
2017086382.tif 000005
【図４】
2017086382.tif 000006
【手続補正書】
【提出日】平成28年11月25日(2016.11.25)
【手続補正１】
【補正対象書類名】特許請求の範囲
【補正対象項目名】全文
【補正方法】変更
【補正の内容】
【特許請求の範囲】
【請求項１】
互いに直交する前後方向及び幅方向と、
着用者の股下に配置される股下域と、
前記股下域の後側に位置する後側域と、
前記股下域と前記後側域に配置される吸収コアと、
前記後側域において、前記股下域の前記吸収コアの外側縁よりも幅方向の外側に延びるヒップフラップと、を有する吸収性物品であって、
前記吸収コアは、前記後側域において前記吸収コアの幅方向中央に位置する低目付部と、前記低目付部よりも幅方向外側に位置し、前記低目付部よりも目付が高い高目付部と、を有し、
前記低目付部と前記高目付部を覆う表面シートと、
前記ヒップフラップに配置されるフラップシートと、を有し、
前記表面シートの外側縁は、前記フラップシートの内側縁よりも幅方向内側に位置し、
前記低目付部は、前記前後方向に沿って延びており、
前記低目付部は、前記吸収性物品の厚み方向に前記吸収コアを貫通したスリットである、吸収性物品。
【請求項２】
互いに直交する前後方向及び幅方向と、
着用者の股下に配置される股下域と、
前記股下域の後側に位置する後側域と、
前記股下域と前記後側域に配置される吸収コアと、
前記後側域において、前記股下域の前記吸収コアの外側縁よりも幅方向の外側に延びるヒップフラップと、を有する吸収性物品であって、
前記吸収コアは、前記後側域において前記吸収コアの幅方向中央に位置する低目付部と、前記低目付部よりも幅方向外側に位置し、前記低目付部よりも目付が高い高目付部と、を有し、
前記低目付部と前記高目付部を覆う表面シートと、
前記ヒップフラップに配置されるフラップシートと、を有し、
前記表面シートの外側縁は、前記フラップシートの内側縁よりも幅方向内側に位置し、
前記低目付部は、前記前後方向に沿って延びており、
前記低目付部よりも幅方向外側には、前記吸収性物品が厚み方向に曲がることができるように構成された曲部が配置され、
前記曲部は、前記幅方向に沿って延びる、吸収性物品。
【請求項３】
互いに直交する前後方向及び幅方向と、
着用者の股下に配置される股下域と、
前記股下域の後側に位置する後側域と、
前記股下域と前記後側域に配置される吸収コアと、
前記後側域において、前記股下域の前記吸収コアの外側縁よりも幅方向の外側に延びるヒップフラップと、を有する吸収性物品であって、
前記吸収コアは、前記後側域において前記吸収コアの幅方向中央に位置する低目付部と、前記低目付部よりも幅方向外側に位置し、前記低目付部よりも目付が高い高目付部と、を有し、
前記低目付部と前記高目付部を覆う表面シートと、
前記ヒップフラップに配置されるフラップシートと、を有し、
前記表面シートの外側縁は、前記フラップシートの内側縁よりも幅方向内側に位置し、
前記後側域には、前記幅方向に延び、周囲の吸収コアよりも目付が低い幅低目付部が設けられており、
前記幅低目付部は、前記ヒップフラップの最大幅の位置から前記幅方向に延びる仮想線上を跨がって配置される、吸収性物品。
【請求項４】
互いに直交する前後方向及び幅方向と、
着用者の股下に配置される股下域と、
前記股下域の後側に位置する後側域と、
前記股下域と前記後側域に配置される吸収コアと、
前記後側域において、前記股下域の前記吸収コアの外側縁よりも幅方向の外側に延びるヒップフラップと、を有する吸収性物品であって、
前記吸収コアは、前記後側域において前記吸収コアの幅方向中央に位置する低目付部と、前記低目付部よりも幅方向外側に位置し、前記低目付部よりも目付が高い高目付部と、を有し、
前記低目付部と前記高目付部を覆う表面シートと、
前記ヒップフラップに配置されるフラップシートと、を有し、
前記表面シートの外側縁は、前記フラップシートの内側縁よりも幅方向内側に位置し、
前記表面シートの曲げ剛性は、前記フラップシートの曲げ剛性よりも低い、吸収性物品。
【請求項５】
前記フラップシートの非肌対向面側に位置する非肌面シートと、
前記非肌面シートに設けられ、前記吸収性物品を下着に止めるための粘着剤を有する粘着部と、を有し、
前記粘着部は、前記ヒップフラップにおいて、前記表面シートの外側縁と前記フラップシートの内側縁との間の領域に配置されていない、請求項１から請求項４のいずれかに記載の吸収性物品。
【請求項６】
前記粘着部は、前記フラップシートに重なる領域に配置される、請求項５に記載の吸収性物品。
【請求項７】
前記低目付部は、前記前後方向に沿って延びており、
前記粘着部は、前記低目付部に重なる領域に配置されていない、請求項５又は請求項６に記載の吸収性物品。
【請求項８】
前記フラップシートの外側縁は、前記ヒップフラップの外側縁に位置する、請求項１から請求項７のいずれかに記載の吸収性物品。
【請求項９】
前記表面シートの外側縁と前記フラップシートの内側縁との間の領域の厚みは、前記表面シートの外側縁よりも幅方向内側の領域の厚みよりも薄く、かつ前記フラップシートの内側縁よりも幅方向外側の領域の厚みよりも薄い、請求項１から請求項８のいずれかに記載の吸収性物品。
【請求項１０】
前記低目付部は、前記前後方向に沿って延びており、
前記低目付部は、前記ヒップフラップの最大幅の位置から前記幅方向に延びる仮想線上を跨がって配置される、請求項１から請求項９のいずれかに記載の吸収性物品。
【請求項１１】
前記ヒップフラップの外縁は、多数の凸部を有する波形形状に形成されている、請求項１から請求項１０のいずれかに記載の吸収性物品。